(57)【要約】【課題】１回の原稿搬送で原稿の両面を読み取る画像処理装置は、両面が同時に読み取られることがあり、片面づつ読み取る画像処理装置に比べて、単位時間当たりのデータの読取量が大きくなることがある。両面の画像データを全て画像処理部へ出力する構成を採ると画像処理装置が高価になる。【解決手段】原稿を読み取る側のクロック周波数よりも、画像処理部に画像データを出力する側のクロック周波数を高くする。また、各原稿面を読み取るタイミングが重ならないようにして、単位時間当たりのデータの読取量を抑えるために、各原稿面が読み取られる位置を原稿の搬送方向長さ以上離す。【選択図】  図３
2004328411.tif 000002
【特許請求の範囲】
【請求項１】
原稿の一方の面に対して主走査方向への走査を行う主走査周期内に、他方の面に対しても主走査方向への走査を行う読取部と、上記読取部の走査にて得られた両面の画像データに画像処理を施す画像処理部とを備えた画像処理装置において、
上記主走査周期内に上記読取部の走査により得られた一方の面と他方の面の画像データを接いで接合データを生成する接合部と、
上記接合データを上記主走査周期内に上記画像処理部に出力する出力部とを備えたことを特徴とする画像処理装置。
【請求項２】
上記読取部が、原稿の一方の面に対して上記走査を行う第１の読取部と、他方の面に対して上記走査を行う第２の読取部とを備え、
上記接合部が、上記第１の読取部が得た一方の面の画像データを第１の周波数クロックを用いて取得する第１の取得部と、上記第２の読取部が得た他方の面の画像データを上記第１の周波数クロックを用いて取得する第２の取得部とを備え、
上記出力部の周波数クロックが、上記第１の周波数クロックよりも高い請求項１に記載の画像処理装置。
【請求項３】
上記接合部は、表面と裏面の画像データを白又は黒データを介して接ぐ請求項１に記載の画像処理装置。
【請求項４】
１回の原稿搬送により、原稿の両面を読み取る読取部と、上記読取部に読み取られた画像データに画像処理を施す画像処理部を備えた画像処理装置において、
上記読取部が、上記原稿の一方の面を読み取る第１の読取部と、
上記第１の読取部に対して、上記原稿の上記搬送方向の長さより離れた場所に位置した上記原稿の他方の面を読み取る第２の読取部とを備えたことを特徴とする画像処理装置。
【発明の詳細な説明】
【０００１】
【発明の属する技術分野】
本発明は、１回の原稿搬送にて原稿の両面を読み取って、読み取った両面の画像データに画像処理を施す画像処理装置に関する。
【０００２】
【従来の技術】
複写機、スキャナ、デジタル複合機等の画像読み取り機能を持った画像処理装置では、原稿の両面を読み取る場合、原稿を反転させて片面づつ読み取る片面読み取り方式が採用されていた。
【０００３】
この画像処理装置は、原稿載置台に載置された原稿を１枚づつ読取位置まで搬送して原稿の一方の面を読み取ると、読み取った原稿を搬送しながら反転させる。その反転の後原稿を再度読取位置に搬送して、原稿の他方の面を読み取る。読取部にて読み取られた画像データは、画像処理部にてエッジ処理や、ズーム処理や、階調処理等の画像処理が施される。
【０００４】
しかし、原稿を反転させることは、その間、原稿の読み取り動作が中断するために、原稿の読み取り時間を長くする要因になっていた。
【０００５】
そこで、近年では、原稿を片面づつ読み取るのではなく、一方の原稿面を読み取る第１の読取部と、他方の原稿面を読み取る第２の読取部とを原稿搬送路の上下に備えた両面読み取りの画像処理装置も製品化されている。この両面読み取りの画像処理装置では、各原稿面用の読取部が設けられていることにより、原稿を反転させる必要なく両面をほぼ同時に読み取ることができる。
【０００６】
従って、両面読み取りの画像処理装置は、片面読み取りの画像処理装置に比べて単位時間当たりに２倍の画像データが得られることになる。単位時間当りに２倍の画像データに画像処理を施すため、２つの画像処理部を備えた両面読み取りの画像処理装置も提案されている。
【０００７】
また、特開平１１−１４６１５３号公報には、第１の読取部と第２の読取部の走査周期を倍にして、走査回数を半分にすることで両読取部の単位時間当りのデータ読取量をそれぞれ半分にした両面読み取りの画像処理装置が提案されている。この両面読み取りの画像処理装置は、画像処理装置全体としての単位時間当りのデータ読取量が、片面を読み取った場合と同じになり、画像処理部は１つで済む。
【０００８】
【特許文献１】
特開平１１−１４６１５３号公報
【０００９】
【発明が解決しようとする課題】
しかしながら、一方の原稿面用と他方の原稿面用の２つの画像処理部を備えると、その分だけ画像処理装置のコストが高くなってしまう。
【００１０】
また、第１の読取部と第２の読取部の走査の回数を半分にして、読み取るデータ量を半分にすると、読み取られた画像データの画質が低下するという問題がある。
【００１１】
そこで本発明は、上記従来の事情に基づいて提案されたものであって、画質を落とさずに１回の原稿搬送にて原稿の両面を読み取ることができ、しかも安価な複写機、スキャナ、デジタル複合機等の画像処理装置を提供する。
【００１２】
【課題を解決する手段】
本発明の画像処理装置は、原稿の一方の面に対して主走査方向への走査を行う主走査周期内に、他方の面に対しても主走査方向への走査を行う読取部が備えられている。そのため、画像処理装置は、原稿の両面を同時に走査することができる。上記主走査周期内に上記読取部の走査により得られた一方の面と他方の面の画像データは、接合部にて接合されて接合データとなる。当該接合データは、出力部にて、エッジ処理や、ズーム処理、階調変換処理等の画像処理を施す画像処理部に出力される。
【００１３】
上記読取部は主走査周期毎に原稿を走査することができるので、上記出力部は、上記接合データを主走査周期内に上記画像処理部に出力しなければ、画像処理が施されていない接合データが貯まってしまう。
【００１４】
そこで、画像処理部に出力される単位時間当たりのデータ量を、走査により得られる単位時間当たりのデータ量と同じか、又はそれ以上にするために、例えば出力部のクロック周波数を高くする。これにより、従来のように、各原稿面の読取部の主走査の回数を減らして、単位時間当たりのデータの読取量を減らさなくても、走査により得られた全ての画像データが画像処理部に出力されて、画像処理が施される。よって、画像処理装置が読み取った画像データの画質が低いという問題を解決することができる。
【００１５】
上記のように画像処理部に出力される単位時間当たりのデータ量を、走査により得られる単位時間当たりのデータ量と同じか、又はそれ以上にするため、画像処理装置は、従来のように２つの画像処理部を備えなくても、走査により得られる全ての画像データは画像処理部に入力されて、画像処理が施される。従って、本発明の画像処理装置は、画像処理部を１つだけ備えればよいので、従来の画像処理装置に比べて製造コストを抑えることができる。
【００１６】
なお、本発明の画像処理部には、上述のように主走査周期内に両面の画像データから構成される接合データが入力されるので、上記画像処理部は主走査周期内に両面の画像データに画像処理を施さなければならない。両面の画像データに画像処理を施すことができるように、本発明の画像処理部には、片面読み取りの画像処理部に比べて２倍以上の処理速度で画像処理を施すことができる画像処理部を用いるようにする。
【００１７】
また、他の観点では、本発明は、一方の原稿面を読み取る第１の読取部が原稿を読み取る読み取り位置と、他方の原稿面を読み取る第２の読取部が原稿を読み取る位置を、原稿の搬送方向の長さ以上離れた位置にした画像処理装置を提供する。
【００１８】
このような構成を採用することで、１回の原稿搬送で動作を中断させることなく両面を順次読み取ることができる。画像処理部は、上記主走査周期内に両面の画像データに画像処理を施す必要はないので、画像処理部に片面読み取りの画像処理装置に実装される画像処理回路を利用することができる。そのため、画像処理装置の製造コストを抑えることができる。
【００１９】
【発明の実施の形態】
（実施の形態１）
本実施の形態では、本発明の画像処理装置は、図１に示すように原稿を読み取る読取機構１０１を備えた複合機１００として具現化される。
【００２０】
上記読取機構１０１の読み取り動作を図２を用いて説明する。原稿載置台２０３に載置された原稿ｍは、給紙ローラ２０４によって１枚づつ分離されて搬送路２０１の下流へと搬送される。給紙ローラ２０４にて搬送された原稿ｍは、給紙ローラ２０４より下流に設けれられたローラ対２０５、２０６、２０７にて案内されて搬送路２０１の下流にある読取位置Ｐａ、Ｐｂへと搬送される。原稿ｍは、当該読取位置Ｐａ、Ｐｂで読取部に走査されながら、搬送路の最下流にある排紙ローラ２０９にて搬送されて、排紙トレイ２１０に排紙される。
【００２１】
本実施の形態において、上記読取部は、読取位置Ｐａで下に向いている一方の原稿面ｍａを主走査方向に走査する第１の読取部３０１と、上記読取位置Ｐａより下流の読取位置Ｐｂで上を向いている他方の原稿面ｍｂを主走査方向に走査する第２の読取部３２１から構成されている。
【００２２】
上記第１の読取部３０１は、上記読取位置Ｐａの一方の原稿面ｍａを照射する光源３０２と、一方の原稿面ｍａからの反射光を案内する反射ミラー３０３、３０４、３０５と、上記反射光を光電変換するＣＣＤ（Ｃｈａｒｇｅ  Ｃｏｕｐｌｅｄ    Ｄｅｖｉｃｅ）センサ３０６等から構成されている。
【００２３】
一方、本実施の形態では、上記第２の読取部３２１に、密着型のイメージセンサを用いている。この密着型イメージセンサは、上記読取位置Ｐｂの他方の原稿面ｍｂを照射する光源や、他方の原稿面ｍｂからの反射光を光電変換する光電変換素子等が、搬送路２０１の近傍に設けられている。
【００２４】
上記第１の読取部３０１と第２の読取部３２１が行う走査は、図３に示す同期調整部４０１が生成する主走査同期信号Ａに同期して行なわれている。本実施の形態においては、図４（Ａ）に示すように、上記第１の読取部３０１と第２の読取部３２１は、上記主走査同期信号ＡがＨｉｇｈの期間に相当する主走査周期内に１回の走査を行う。
【００２５】
上記第１の読取部３０１と第２の読取部３２１は、図４（Ａ）に示す上記主走査周期内に一方の原稿面ｍａと他方の原稿面ｍｂを走査して、図４（Ｂ）、（Ｃ）に示す画像データＤａ、Ｄｂを得る。
【００２６】
上記第１の読取部３０１が得た画像データＤａと上記第２の読取部３２１が得た画像データＤｂは、接合部３３０が備える第１のクロック周波数で作動する第１の取得部３３１と第２の取得部３３２にて取得される。
【００２７】
上記第１の取得部３３１と第２の取得部３３２には、上記同期調整部４０１から上記主走査同期信号Ａが入力されている。上記第１の取得部３３１と第２の取得部３３２は、上記主走査同期信号Ａに同期して、上記画像データＤａ、Ｄｂの取得を行う。
【００２８】
上記接合部３３０は、更に領域ｊと領域ｋから構成された２つの領域を保持するバッファ３３３を備えている。上記領域ｊと領域ｋは、アドレス上連続した領域となっている。
【００２９】
なお、上記第１の読取部３０１と第２の読取部３２１が走査して得た画像データＤａ、Ｄｂと、上記第１の取得部３３１と第２の取得部３３２が取得するデータＤａ、Ｄｂは同一であるが、画像データを扱う主体を明確にするために、以下では上記第１の取得部と第２の取得部が画像データを扱う場合には参照符号に´を付けている。
【００３０】
上記第１の読取部３０１の走査によって得られた画像データＤａは、図４（Ｄ）に示すように、走査が行われた次の主走査周期に上記第１の取得部３３１にて取得されて、上記領域ｊに入力される。また、上記第２の読取部３２１の走査によって得られた画像データＤｂは、図４（Ｅ）に示すように、走査が行われた次の主走査周期に、上記第２の取得部３３２にて取得されて、上記領域ｋに入力される。
【００３１】
以上のようにアドレスの連続する領域ｊ、ｋに画像データＤａ、Ｄｂが格納されることで、両面の画像データが接合部３３０にて接合されて接合データＥが生成される。
【００３２】
以上のようにして、上記主走査周期の周期毎に、上記第１の読取部３０１と第２の読取部３２１の走査にて得られた両面の画像データＤａ、Ｄｂがバッファ３３３に格納されて、上記接合データＥが生成される。
【００３３】
本発明の画像処理装置は、上記接合データＥにエッジ処理、ズーム処理、階調変換処理等の画像処理を施す画像処理部３５０が備えられている。画像処理部３５０への出力は、出力部３４０が行う。この出力部３４０は、上記同期調整部４０１から上記主走査同期信号Ａが入力されており、上記出力部３４０は、上記主走査同期信号Ａに同期して上記接合データＥを出力する。
【００３４】
上記出力部３４０は、接合データＥを構成する画像データＤａ´、Ｄｂ´がバッファ３３３に入力されると、次の主走査周期に画像データＤａ、Ｄｂを上記画像処理部３５０に出力する。本実施の形態においては、上記出力部３４０は、領域ｊに入力された画像データＤａ、領域ｋに入力された画像データＤｂの順で、バッファ３３３に格納された接合データＥの出力を行うこととする。
【００３５】
本発明の画像処理装置においては、製造コストを抑えるために、上記画像処理部３５０を１つしか設けられていない。そのため、上記バッファ３３３へのデータの入力は、上記第１の取得部３３１と第２の取得部３３２の２系統で行われるが、上記バッファ３３３からデータの出力は１系統で行うことになる。
【００３６】
従って、バッファ３３３のオーバーフローを防ぐためには、上記出力部３４０は、主走査周期内に１つの接合データＥを上記画像処理部３５０に出力しなければならない。すなわち、上記出力部３４０の単位時間当たりのデータ出力量を、上記第１の取得部３３１と上記第２の取得部３３２との単位時間当たりのデータの入力量の合計と同じにしなければならない。
【００３７】
そこで本実施の形態においては、上記出力部３４０のクロック周波数を調整して、バッファ３３３の単位時間当たりのデータの入力量と出力量が同一になるようにしている。
【００３８】
なお、上記接合データＥは、上記第１の取得部３３１と第２の取得部３３２から入力される画像データを接合したデータであるので、上記接合データＥのデータ量は、上記第１の取得部３３１又は第２の取得部３３２から入力される画像データＤａ´、Ｄｂ´それぞれの２倍となる。そこで、本実施の形態の上記出力部３４０のクロック周波数は、上記第１のクロック周波数の２倍、又は２倍以上になっている。
【００３９】
これにより、図４（Ｆ）に示すように、上記出力部３４０は、主走査周期内に接合データＥを上記画像処理部３５０に入力することができる。
【００４０】
なお、上記画像処理部３５０に、上記接合データＥが上記主走査周期毎に入力されるので、上記画像処理部３５０は上記主走査周期内に１つの接合データＥに対して画像処理を施す処理速度が必要となる。本発明の画像処理装置は、両面同時に走査することができるので、必要となる処理速度は、従来のように片面づつ原稿ｍを走査する片面読み取りの画像処理装置に実装される画像処理部の約２倍となっている。本発明の画像処理装置は、上記のような処理速度の高い画像処理部３５０を設ける必要があるが、処理速度の高い画像処理部３５０を１つ設けることは、従来のように画像処理部を２つ設けることに比べて画像処理装置の製造コストを抑えることができる。
【００４１】
現在の技術では、用紙両面を同時に印刷することは非常に困難である。片面づつ印刷するためには、上記接合データＥを画像データＤａ、Ｄｂに分離しなければならない。
【００４２】
本実施の形態の画像処理装置においては、画像処理が施された接合データＥを画像データＤａと画像データＤｂに分離する分離部４１０が備えられている。上記分離部４１０は、バッファ４１３が備えられている。このバッファ４１３は、領域ｒと領域ｓの２つの領域に分かれている。領域ｒ、ｓの記憶容量は、上記画像処理部３５０にて画像処理が施された画像データＤａ、Ｄｂのデータ量と同じ容量となっている。
【００４３】
上記画像処理部３５０は、画像処理を施した次の主走査周期内に、上記接合データＥを上記バッファ４１３に出力する。本実施の形態においては、上記画像処理部３５０が行う接合データＥの出力先は、最初は上記領域ｒであり、領域ｒが接合データＥで一杯になるとその後は、領域ｓになる。これにより、領域ｒには、一方の原稿面ｍａの画像データＤａが出力され、領域ｓには、他方の原稿面ｍｂの画像データＤｂが出力される。
【００４４】
上記分離部４１０は、更に上記第１の転送部４１４と第２の転送部４１５を備える。上記第１の転送部４１４は、領域ｒに格納されたデータＤａを第１の記憶部４２０に転送し、上記第２の転送部４１５は、領域ｓに格納されたデータＤｂを第２の記憶部４３０に転送する。なお、上記領域ｒ、ｓが画像データＤａ、Ｄｂでオーバーフローしないように、上記第１の転送部４１４と上記第２の転送部４１５のクロック周波数は、上記第１のクロック周波数と同じかまたはそれ以上である。
【００４５】
これによって、上記第１の記憶部４２０には、一方の原稿面ｍａの画像データＤａが入力され、上記第２の記憶部４３０には、他方の原稿面ｍｂの画像データＤｂが入力される。
【００４６】
このようにして上記接合データＥを別個の第１の記憶部４２０と第２の記憶部４３０に分離して記憶することによって、片面づつの印刷を行う。
【００４７】
なお、上記画像処理部３５０にて施される画像処理の内容によっては、注目画素を中心とする周囲画素を参照する場合がある。例えば一方の原稿面ｍａの画像データの最後尾に他方の原稿面ｍｂの画像データの先頭を接合すると、一方の原稿面ｍａの画像データの最後尾に対して画像処理が行われる際に、他方の原稿面ｍｂの先頭付近のデータが参照されることになる。そのため、不適切な画像処理が行われることになる。
【００４８】
そこで、一方の原稿面ｍａの画像データＤａと他方の原稿面の画像データＤｂを接合する場合、少なくとも１以上の白画素又は黒画素を介して接合することが望ましい。例えば上記バッファ３３３の領域ｊ及び領域ｋと、領域ｒ及び領域ｓをアドレス上連続した領域とするのではなく、領域ｊ及び領域ｓと、領域ｒ及び領域ｓを白又は黒データが記述された数ビットの領域を介して設定する。
【００４９】
（実施の形態２）
図５に示すように上記読取位置Ｐａ、Ｐｂを、原稿ｍの搬送方向の長さＬ以上離れた位置にする。なお、本実施の形態では、図５に示すように読取位置Ｐａは読取位置Ｐｂより上流側にある。
【００５０】
本実施の形態の画像処理装置において、原稿ｍを読み取った場合の上記第１の読取部３０１と上記第２の読取部３２１が原稿ｍを読み取るタイミングを図６に示す。なお、原稿ｍは、実施の形態１にて説明した方法と同じ方法にて上流側の読取位置Ｐａまで搬送される。本実施の形態の画像処理装置は、読取位置Ｐａと読取位置Ｐｂが離れているので、上記読取位置Ｐａから下流に原稿ｍを搬送するために、上記読取位置Ｐａと読取位置Ｐｂの間に搬送ベルト２１１が設けられている。原稿ｍは、上記搬送ベルト２１１によって上記読取位置Ｐａから下流方向に搬送されて、排紙トレイ２１０に搬送される。片面のみを読み取る場合、両面のみを読み取る場合も、このような原稿の搬送経路は変わらない。
【００５１】
上記第１の読取部３０１と上記第２の読取部３２１は、実施の形態１と同じように上記主走査同期信号Ａに同期して走査を行う。
【００５２】
原稿ｍの搬送が開始されると、原稿ｍの先端は、まず読取位置Ｐａに到達する。原稿ｍの先頭が読取位置Ｐａに到達すると、図６（Ｂ）に示すように第１の読取部３０１は一方の原稿面ｍａの先端の走査を行って、画像データＤａ１を得る。もちろん、この時点では原稿ｍの先端は、読取位置Ｐｂに到達していないので、第２の読取部３２１は、画像データを得ることはできない。
【００５３】
上記第１の読取部３０１は、原稿ｍの先端が上記読取位置Ｐａに到達してから、最後尾が上記読取位置Ｐａを通過するまで、主走査周期で原稿ｍを走査して、画像データＤａ１、Ｄａ２、Ｄａ３…Ｄｂｙ、Ｄａｚを得る。
【００５４】
上述のように、読取位置Ｐａと読取位置Ｐｂは、原稿ｍの搬送方向の長さＬ以上離れているため、第１の読取部３０１が原稿ｍの最後尾を走査している時でも、上記読取位置Ｐｂに原稿ｍの先端は到達していない。
【００５５】
従って、上記第１の読取部３０１が原稿ｍを走査している間に、上記第２の読取部３２１が原稿ｍを走査することはない。
【００５６】
上記原稿ｍの最後尾が上記読取位置Ｐａを通過した後、原稿ｍの先端が上記読取位置Ｐｂに到達すると、上記第２の読取部３２１は、図６（Ｃ）に示すように原稿ｍの先端が到達してから最後尾が通過するまで、原稿ｍの他方の面ｍｂを走査する。当該走査により、上記第２の読取部３２１は、画像データＤｂ１、Ｄｂ２、Ｄｂ３…Ｄｂｙ、Ｄｂｚを得る。
【００５７】
上記第１の読取部３０１と第２の読取部３２１は、図７に示すように走査して得られた画像データＤａ、Ｄｂを、直接画像処理部３５０に入力する。
【００５８】
実施の形態１にも述べたように両面同時に印刷することは技術的に困難である。片面づつ印刷するためには、画像処理部３５０にて画像処理が施された画像データＤａ、Ｄｂを分離して保管しておかなければならない。
【００５９】
図６（Ｄ）に示すように、本実施の形態の画像処理部３５０には、上記第１の読取部３０１が得た一方の原稿面ｍａの画像データＤａと第２の読取部３２１が得た他方の原稿面ｍｂの画像データＤｂが同時に入力されることはない。そこで、例えば、上記画像処理部３５０は、原稿搬送が開始されてから、原稿ｍの最後尾の画像データＤａｚが入力されるまでの時間を予め記憶しておく。上記画像処理部３５０は、原稿搬送が開始されてから、予め記憶しておいた時間までに、入力されたデータを一方の原稿面ｍａの画像データＤａと認識する。上記画像処理部３５０は、画像データＤａに画像処理を施すと、当該画像データＤａを第１の記憶部４２０に入力する。
【００６０】
また、上記画像処理部３５０は、原稿搬送が開始されてから、予め記憶しておいた時間が経過した後に、入力されたデータを画像データＤｂとして認識する。上記画像処理部３５０は、画像データＤｂに画像処理を施すと、当該画像データＤｂを第２の記憶部４３０に入力する。
【００６１】
これにより、一方の原稿面ｍａの画像データＤａと他方の原稿面ｍｂの画像データＤｂが別個の第１の記憶部４２０と第２の記憶部４３０に入力されて分離される。
【００６２】
第１の記憶部４２０及び第２の記憶部４３０に記憶された画像データＤａ、Ｄｂは、順次印刷される。このように１回の原稿搬送を片面読み取りの場合と
同様に、中断することなく行うことで、両面の印刷を行っている。
【００６３】
その両面印刷の間、図６（Ｄ）に示すように、画像処理部３５０には、上記第１の読取部３０１が得た一方の原稿面ｍａの画像データＤａと第２の読取部３２１が得た他方の原稿面ｍｂの画像データＤｂが同時に入力されることはない。よって、本実施の形態の画像処理装置は、片面読み取りの画像処理装置に実装されている画像処理部と同じ処理速度の画像処理部を用いることができる。そのため、本実施の形態の画像処理装置は、実施の形態１の画像処理装置のより処理速度の低い画像処理部を利用できるので、安価で製造することができる。
【００６４】
また、本実施の形態の画像処理装置の第１の読取部３０１と第２の読取部３２１は画像データを直接画像処理部３５０に入力するので、実施の形態１に記載の接合部３３０と出力部３４０を備える必要はない。よって、更にその分の製造コストを抑えることができる。
【００６５】
【発明の効果】
本発明の画像処理装置は、原稿の両面を走査して読取部が得る単位時間当たりのデータ量と同量のデータを画像処理部に出力する。そのため、従来のように、画像処理部に入力される単位時間当たりのデータ量に応じて、読取部が得る単位時間当たりのデータ量を調整する必要もない。これにより、読み取られた画像データの画質が低いということを防ぐことができる。
【００６６】
また、本発明の画像処理装置は、原稿の両面を走査して読取部が得る単位時間当たりのデータ量と同量のデータが画像処理部に入力されて画像処理が施されるので、画像処理部を１つだけ備えればよい。従って、従来の画像処理装置のように２つの画像処理部を備える必要はないので、従来の画像処理装置に比べて製造コストを抑えることができる。
【００６７】
また、原稿の一方の面と他方の面とを走査する第１の読取部と第２の読取部の原稿を読み取る位置を原稿の搬送方向の長さ以上離すことで、１回の原稿搬送にてその動作を中断することなく原稿の両面を順次読み取ることができる。そのため、画像処理部に片面読み取りの画像処理装置に実装される安価な画像処理部を利用することができる。その結果、１回の原稿搬送で両面を読み取ることができる、しかも安価な画像処理装置を提供することができる。
【図面の簡単な説明】
【図１】画像処理装置の全体図である。
【図２】実施の形態１の画像処理機構の断面図である。
【図３】実施の形態１の画像処理装置のブロック図である。
【図４】走査にて得られた画像データが画像処理部に出力されるまでを示すタイミングチャートである。
【図５】実施の形態２の画像処理装置の断面図である。
【図６】走査にて得られた画像データが画像処理部に出力されるまでを示すタイミングチャートである。
【図７】実施の形態２の画像処理装置のブロック図である。
【符号の説明】
３０１  第１の読取部
３２１  第２の読取部
３３０  接合部
３３１  第１の取得部
３３２  第２の取得部
３３３  バッファ
３４０  出力部
３５０  画像処理部
Ｐａ、Ｐｂ  読取位置
【図１】
2004328411.tif 000003
【図２】
2004328411.tif 000004
【図３】
2004328411.tif 000005
【図４】
2004328411.tif 000006
【図５】
2004328411.tif 000007
【図６】
2004328411.tif 000008
【図７】
2004328411.tif 000009